(57)【要約】 【課題】挿入異物Ｉを試行の段階も含めて確実に察知して検出でき、不正行為を未然に防止できるようにした台間遊技設備機における不正防止装置を提供する。【解決手段】遊技客の支払う対価に応じて遊技媒体を貸し出す台間遊技設備機３０における不正防止装置であって、遊技媒体排出ユニット２００から球排出口３６までの排出経路に挿入異物Ｉを検出する異物検出処理部５０を設け、該異物検出処理部５０に、異物防止弁５１と異物検出センサ５５を設けた。【選択図】図１
2005218596.tif 000002
【特許請求の範囲】
【請求項１】
遊技客の支払う対価に応じて遊技媒体を貸し出す台間遊技設備機における不正防止装置であって、
遊技媒体排出ユニットから遊技媒体排出口までの排出経路に挿入異物を検出する異物検出処理部を設け、該異物検出処理部に、異物防止弁と異物検出センサを設けたことを特徴とする台間遊技設備機における不正防止装置。
【請求項２】
遊技客の支払う対価に応じて遊技媒体を貸し出す台間遊技設備機における不正防止装置であって、
遊技媒体排出ユニットから遊技媒体排出口までの排出経路に挿入異物を検出する異物検出処理部を設け、該異物検出処理部に、異物防止弁と異物検出センサを設け、
前記異物防止弁は、遊技媒体の排出中は排出経路を開き、排出していないときは排出経路を塞ぎ、挿入された挿入異物を別の経路に誘導するものであり、
前記異物検出センサは、前記別の経路に誘導された挿入異物を検出することを特徴とする台間遊技設備機における不正防止装置。
【請求項３】
遊技客の支払う対価に応じて遊技媒体を貸し出す台間遊技設備機における不正防止装置であって、
遊技媒体排出ユニットから遊技媒体排出口までの排出経路に挿入異物を検出する異物検出処理部を設け、該異物検出処理部に、異物防止弁と異物検出センサを設け、
前記異物防止弁は、遊技媒体の排出中は排出経路を開き、排出していないときは排出経路を塞ぎ、挿入された挿入異物を別の経路に誘導する弁体を有し、
前記異物検出センサは、前記別の経路に誘導された挿入異物が届きやすい位置に配設されていることを特徴とする台間遊技設備機における不正防止装置。
【請求項４】
異物検出センサが挿入異物を検知したとき警報を報知する警報処理装置を設けたことを特徴とする請求項１，２または３に記載の台間遊技設備機における不正防止装置。
【請求項５】
異物検出センサが挿入異物を検知したとき警報を報知するとともに、台間遊技設備機の機能を停止させる警報処理装置を設けたことを特徴とする請求項１，２または３に記載の台間遊技設備機における不正防止装置。
【請求項６】
異物検出センサが挿入異物を検知したとき警報を報知する警報処理装置を設け、警報が報知されたとき、発生区域を撮影する監視カメラを設けたことを特徴とする請求項１，２または３に記載の台間遊技設備機における不正防止装置。
【発明の詳細な説明】
【技術分野】
【０００１】
本発明は、遊技客の支払う対価に応じて遊技媒体を貸し出す台間遊技設備機における不正防止装置に関する。
【背景技術】
【０００２】
従来の技術としては、例えば特許文献１に示すようなものがある。  
すなわち、特許文献１の特開平１１−５７１５７号公報には、払出し路に払出し位置と戻し位置に切換え保持される開閉片を有する切換え弁を設け、開閉片を、常には払出し路を閉遮状態に保持し、払い出し時は通過する球で押開かれる一方、挿入異物の侵入操作があったときは挿入異物を当て止めて、切換え弁を払出し位置に不正拘束不能にするようにした技術が開示されている。
【０００３】
【特許文献１】特開平１１−５７１５７号公報
【発明の開示】
【発明が解決しようとする課題】
【０００４】
しかしながら、このような従来の技術では、払い出し時に球が開閉片を押し広げる構成であるので、開閉片が邪魔であったり動作上故障しやすいおそれがあり、また、何よりも、挿入異物を単に当て止めるだけで、報知することがないので、挿入異物の試行を察知することができず、不正の防御としては不足であるという問題点があった。
【０００５】
本発明は、このような従来の技術が有する問題点に着目してなされたもので、挿入異物を試行の段階も含めて確実に察知して検出でき、不正行為を未然に防止できるようにした台間遊技設備機における不正防止装置を提供することを目的としている。
【課題を解決するための手段】
【０００６】
かかる目的を達成するための本発明の要旨とするところは、次の各項の発明に存する。
［１］  遊技客の支払う対価に応じて遊技媒体を貸し出す台間遊技設備機（３０）における不正防止装置であって、
遊技媒体排出ユニット（２００）から遊技媒体排出口までの排出経路に挿入異物（Ｉ）を検出する異物検出処理部（５０）を設け、該異物検出処理部（５０）に、異物防止弁（５１）と異物検出センサ（５５）を設けたことを特徴とする台間遊技設備機（３０）における不正防止装置。
【０００７】
［２］  遊技客の支払う対価に応じて遊技媒体を貸し出す台間遊技設備機（３０）における不正防止装置であって、
遊技媒体排出ユニット（２００）から遊技媒体排出口までの排出経路に挿入異物（Ｉ）を検出する異物検出処理部（５０）を設け、該異物検出処理部（５０）に、異物防止弁（５１）と異物検出センサ（５５）を設け、
前記異物防止弁（５１）は、遊技媒体の排出中は排出経路を開き、排出していないときは排出経路を塞ぎ、挿入された挿入異物（Ｉ）を別の経路（２１５）に誘導するものであり、
前記異物検出センサ（５５）は、前記別の経路（２１５）に誘導された挿入異物（Ｉ）を検出することを特徴とする台間遊技設備機（３０）における不正防止装置。
【０００８】
［３］  遊技客の支払う対価に応じて遊技媒体を貸し出す台間遊技設備機（３０）における不正防止装置であって、
遊技媒体排出ユニット（２００）から遊技媒体排出口までの排出経路に挿入異物（Ｉ）を検出する異物検出処理部（５０）を設け、該異物検出処理部（５０）に、異物防止弁（５１）と異物検出センサ（５５）を設け、
前記異物防止弁（５１）は、遊技媒体の排出中は排出経路を開き、排出していないときは排出経路を塞ぎ、挿入された挿入異物（Ｉ）を別の経路（２１５）に誘導する弁体（５２）を有し、
前記異物検出センサ（５５）は、前記別の経路（２１５）に誘導された挿入異物（Ｉ）が届きやすい位置に配設されていることを特徴とする台間遊技設備機（３０）における不正防止装置。
【０００９】
［４］  異物検出センサ（５５）が挿入異物（Ｉ）を検知したとき警報を報知する警報処理装置を設けたことを特徴とする項１，２または３に記載の台間遊技設備機（３０）における不正防止装置。
【００１０】
［５］  異物検出センサ（５５）が挿入異物（Ｉ）を検知したとき警報を報知するとともに、台間遊技設備機（３０）の機能を停止させる警報処理装置を設けたことを特徴とする項１，２または３に記載の台間遊技設備機（３０）における不正防止装置。
【００１１】
［６］  異物検出センサ（５５）が挿入異物（Ｉ）を検知したとき警報を報知する警報処理装置を設け、警報が報知されたとき、発生区域を撮影する監視カメラ（５６）を設けたことを特徴とする項１，２または３に記載の台間遊技設備機（３０）における不正防止装置。
【００１２】
前記本発明は次のように作用する。  
本発明に係る台間遊技設備機（３０）における不正防止装置は、遊技客の支払う対価に応じて遊技媒体を貸し出す台間遊技設備機（３０）において、挿入異物（Ｉ）による不正行為を防止するとともに検出し、不正行為を未然に防止する。  
遊技媒体排出口から排出経路内に挿入異物（Ｉ）が差し込まれると、遊技媒体排出ユニット（２００）に届く前に、異物検出処理部（５０）に達し、異物検出処理部（５０）の異物防止弁（５１）が挿入異物（Ｉ）を受け止めるとともに、異物検出センサ（５５）に挿入異物（Ｉ）が検出され、報知や警告等の対応がなされる。
【００１３】
異物防止弁（５１）は、遊技媒体の排出中は弁体（５２）が排出経路を開いて経路の邪魔をすることなく遊技媒体を通過させる。排出していないときは排出経路は弁体（５２）で塞がれ、挿入異物（Ｉ）が差し込まれると別の経路（２１５）に誘導される。誘導された挿入異物（Ｉ）が深く差し込まれると、誘導された挿入異物（Ｉ）が届きやすい位置に配設されている異物検出センサ（５５）に検出される。
【００１４】
警報処理装置は、異物検出センサ（５５）が挿入異物（Ｉ）を検知したとき警報を報知し、さらに、台間遊技設備機（３０）の機能を停止させる。また、警報処理装置により警報が報知されたとき、監視カメラ（５６）は、発生区域を撮影して現場を捕捉するものである。
【発明の効果】
【００１５】
本発明に係る台間遊技設備機における不正防止装置によれば、遊技媒体の排出経路に異物防止弁を設け、挿入異物があった場合、弁体で案内して異物検出センサに誘導するようにし、挿入異物を確実に察知して検出でき、遊技媒体の経路の邪魔をすることもないので、不正行為を未然に防止できるとともに、不正行為があった場合に、警報を発し、確実に対応することができる。
【発明を実施するための最良の形態】
【００１６】
以下、図面に基づき本発明の好適な一実施の形態を説明する。  
各図は本発明の一実施の形態を示している。  
図１０に示すように、遊技機１０，１０の間に玉貸機である台間遊技設備機３０が設置されている。  
図８および図９に示すように、台間遊技設備機３０は、正面に紙幣投入口３１、コイン投入口３２、カード投入口３３、コイン返却口３４および、モニターランプ３５、球排出口３６を備えている。
【００１７】
図８および図１２に示すように、台間遊技設備機３０は、メイン制御基板１００、遊技媒体排出ユニット２００、紙幣識別機３００、コインセレクタ４００、カードユニット５００、入出力基板６００を備えて構成されている。そして、遊技機１０に賞球を行えるようメイン制御基板１００が遊技機１０に接続されており、入出力基板６００は遊技場管理装置であるホールコンピュータ２０に接続されている。また、電力はノイズフィルタ７００を介して供給されている。
【００１８】
メイン制御基板１００の構成は図１１に示されている。メイン制御基板１００はマイクロコンピュータ１０１が要部をなしており、入力回路１１６に遊技機１０および各所のスイッチが接続されている。図８に示すように、遊技媒体排出ユニット２００には、上部から供給される球の有無を検出する球有無検出センサ２３０が装着された球導入路２４０が接続されており、遊技媒体排出ユニット２００からは、貸し出す球を球排出口３６に導く球排出路２５０と賞球出口２６０への球排出路２５０ａが延びている。図９で解るように、球排出路２５０ａからは側面に遊技機１０への賞球出口２６０が開設されている。また、球排出路２５０，２５０ａにはそれぞれ異物検出処理部５０が設けられている。
【００１９】
図３に示すように、遊技媒体排出ユニット２００からの排出経路は、経路切替え部材２１０により切替えられるもので、球排出口３６への球排出路２５０と、賞球出口２６０への球排出路２５０ａとがある。経路切替え部材２１０は、メイン制御基板１００の出力回路１１５からの経路切替信号による経路切替ソレノイド２２３で切替わるものである。前記のように、異物検出処理部５０は、球排出路２５０と球排出路２５０ａとのいずれにも設けられている。なお、一つの球排出路で玉貸、賞球を行うようにしてもよい。
【００２０】
図１および図２は球排出路２５０における構成を示しており、球排出路２５０ａも同一の構成をしている。異物検出処理部５０には、異物防止弁５１と異物検出センサ５５が設けられ、異物防止弁５１は、支軸５１ａに支持され、駆動ソレノイド２２４ａで、遊技媒体の排出中は排出経路を開き、排出していないときは排出経路を塞ぎ、挿入された挿入異物Ｉを別の経路２１５に誘導する弁体５２を有している。球排出路２５０の反対側の内壁には弁体５２の先端を保持して挿入異物Ｉが挿入されたときに弁体５２が変位しないようにする座部２１６が形成されている。図２で解るように、異物検出センサ５５は、別の経路２１５に誘導された針金やセル板等の挿入異物Ｉが届きやすい位置に配設されている。
【００２１】
図１１および図１２でわかるように、駆動ソレノイド２２４ａはメイン制御基板１００の出力回路１１５に接続され、賞球出口２６０への球排出路２５０ａに設けられる駆動ソレノイド２２４ｂも出力回路１１５に接続されている。また、異物検出センサ５５は異物検出信号１としてマイクロコンピュータ１０１に接続され、賞球出口２６０への球排出路２５０ａ側の異物検出センサ５５ａも異物検出信号２としてマイクロコンピュータ１０１に接続されている。
【００２２】
また、図示されていないが、異物検出センサ５５が挿入異物Ｉを検知したとき警報を報知する警報処理装置が設けられており、さらに、台間遊技設備機３０の機能を停止させる警報処理装置が設けられている。この機能を停止することの一つとして払い出しを止めるための払出し停止ソレノイド２２２が出力回路１１５に接続して設けられている。
【００２３】
また、図１３および図１４に示すように、警報処理装置により警報が報知されたとき、発生区域を撮影する監視カメラ５６，５６…が島の間を覗くようにして配設され、警報の発された台間遊技設備機３０と監視カメラ５６とを関連付けて撮影を進行する監視カメラ制御装置５７が設けられている。
【００２４】
図４〜図６で解るように、遊技媒体排出ユニット２００のメイン制御基板１００には、不正を防止するためにメイン制御基板１００を覆う基板カバー４０が設けられている。基板カバー４０は開閉可能な蓋４５を有し、蓋４５の先端部はクリップ４６で係止され、基板カバー４０内には蓋４５の開扉を検出する基板カバー開閉検出センサ１１９が設けられている。
【００２５】
基板カバー開閉検出センサ１１９は、マイクロコンピュータ１０１に接続されるラッチ回路１１３に接続されており、基板カバー開閉検出センサ１１９とマイクロコンピュータ１０１、ラッチ回路１１３の詳細は図７に示されている。すなわち、ラッチ回路１１３は基板カバー開閉検出センサ１１９の検出結果の記憶手段をなしており、ラッチ回路１１３のＶＣＣには、システムの電源が入力しているが、メイン制御基板１００が基板カバー４０ごと外された場合でもラッチ回路１１３の記憶を保持するためのバッテリ４１が設けられている。
【００２６】
また、基板カバー開閉検出センサ１１９の検出結果を外部に送信する無線通信手段として送信回路１２２が設けられている（図１１参照）。送信回路１２２は、メイン制御基板１００の基板カバー４０に内装されており、メイン制御基板１００が外された場合でも送信できるよう、バッテリ４１から電力供給できるようになっている。また、送信信号はＧＰＳ（グローバル・ポジショニング・システム）となっている。
ＧＰＳは、前述した監視カメラ制御装置５７に連動され、遊技場内では、その位置を検出して監視カメラ５６で撮影するようになっているため、一旦遊技場外に持ち出されて、改造され戻されて設置する場合も撮影できることになる。
【００２７】
電源投入時には、記憶手段であるラッチ回路１１３の内容を確認し、基板カバー４０の開閉が行なわれていた場合、ホールコンピュータ２０に知らせるようになっており、ホールコンピュータ２０には、制御プログラムの変更の有無を確認する検定手段が設けられている。
【００２８】
次に作用を説明する。  
台間遊技設備機３０における不正防止装置では、球排出路２５０，２５０ａに挿入異物Ｉが挿入される不正な働きかけがあったとき、この不正な働きかけを未然に検知して対応する。
【００２９】
すなわち、台間遊技設備機３０における不正防止装置は球排出路２５０，２５０ａにそれぞれ異物検出処理部５０として装置されている。遊技客の支払う対価に応じて遊技媒体を貸し出す台間遊技設備機３０に対する挿入異物Ｉによる不正行為を防止するとともに検出される。
【００３０】
異物防止弁５１は、図１に示すように、遊技媒体の排出中は弁体５２が排出経路を開いて経路の邪魔をすることなく遊技媒体を通過させる。排出していないときは図２に示すように、駆動ソレノイド２２４ａが異物防止弁５１を押して支軸５１ａを中心に回動させ、弁体５２の先端部が座部２１６に当接し、球排出口３６への球排出路２５０である排出経路は弁体５２で塞がれる。
【００３１】
挿入異物Ｉが差し込まれるとその先端が弁体５２に当たり、球排出路２５０に対して傾斜している弁体５２が邪魔をするので、挿入異物Ｉの先端は別の経路２１５に誘導される。誘導された挿入異物Ｉが深く差し込まれると、誘導された挿入異物Ｉが届きやすい位置に配設されている異物検出センサ５５により検出される。賞球出口２６０への球排出路２５０ａでも同様に異物検出処理部５０の異物検出センサ５５ａが動作している。
【００３２】
つまり、球排出口３６から排出経路内に挿入異物Ｉが差し込まれると、遊技媒体排出ユニット２００に届く前に、異物検出処理部５０に達し、異物検出処理部５０の異物防止弁５１が挿入異物Ｉを受け止めて導くとともに、異物検出センサ５５に挿入異物Ｉが検出され、報知や警告等の対応がなされる。
【００３３】
警報処理装置は、異物検出センサ５５が挿入異物Ｉを検知したとき警報を報知し、さらに、台間遊技設備機３０の機能を停止させる。また、警報処理装置により警報が報知されたとき、監視カメラ５６は、台間遊技設備機３０からの情報を受けた監視カメラ制御装置５７に制御され、発生区域を割り出し焦点をあわせて撮影して現場を捕捉するものである。
【００３４】
また、遊技客の支払う対価に応じて遊技媒体を貸し出す台間遊技設備機３０の遊技媒体排出ユニット２００の制御基板１００に不正な働きかけがあったとき、この不正な働きかけを未然に検知して対応するようになっている。
【００３５】
遊技媒体排出ユニット２００の制御基板１００に不正を働くには、まずその基板カバー４０を外す必要がある。必然的に基板カバー４０の開閉可能な蓋４５を開くことになり、基板カバー開閉検出センサ１１９が基板カバー４０の蓋４５の開扉を検出し、開扉されたという基板カバー開閉検出センサ１１９の検知結果は、記憶手段であるラッチ回路１１３に記憶される。遊技設備の電源に頼る必要がないようバッテリ４１を設けてあるので、基板カバー開閉検出センサ１１９や記憶手段であるラッチ回路１１３は、バッテリ４１によって動作し、遊技設備の電源の状態に関わらず、不正を検知することができる。
【００３６】
遊技設備の停止後、開店のために電源が入れられたとき、記憶手段であるラッチ回路１１３から、制御基板１００の蓋４５の開扉を確認し、開扉されていたときは不正の可能性があるので、検定手段が、制御プログラムの変更の有無を確認する。記憶手段であるラッチ回路１１３の記憶は、無線通信手段の送信回路１２２により外部の管理装置と情報が交換されており、制御基板１００の基板カバー４０の蓋４５が開扉されて不正の可能性があるときは直ちに判明する。
【００３７】
制御基板１００は外部に持ち出されて改造されるおそれがあるが、制御基板１００の基板カバー４０内にＧＰＳによる位置確認手段が設けられているので、送信信号により制御基板１００の所在が判明し、不正を発見することが可能になる。また、遊技中であれば、制御プログラムの不正改造が検出されたとき、不正が報知され、また台間遊技設備機３０の動作を停止することで、被害の拡大を防止することができる。動作の停止は、例えば、基板カバー開閉検出センサ１１９の信号を受け、メイン制御基板１００の出力回路１１５から払出し停止ソレノイド２２２に信号が発され、払出し停止ソレノイド２２２が遊技媒体の払い出しを停止することによりなされる。
【図面の簡単な説明】
【００３８】
【図１】本発明の一実施の形態に係る不正防止装置の異物検出処理部を示す説明断面図である。
【図２】本発明の一実施の形態に係る不正防止装置の異物検出処理部を示す説明断面図である。
【図３】本発明の一実施の形態に係る不正防止装置を備えた台間遊技設備機の遊技媒体排出ユニットを示す説明断面図である。
【図４】本発明の一実施の形態に係る不正防止装置の基板カバーを示す正面図である。
【図５】本発明の一実施の形態に係る不正防止装置の基板カバーを開いた状態を示す平面図である。
【図６】本発明の一実施の形態に係る不正防止装置の基板カバーを閉じた状態を示す平面図である。
【図７】本発明の一実施の形態に係る不正防止装置の基板カバー内の回路図である。
【図８】本発明の一実施の形態に係る不正防止装置を備えた台間遊技設備機の分解斜視図である。
【図９】本発明の一実施の形態に係る不正防止装置を備えた台間遊技設備機の側面図である。
【図１０】本発明の一実施の形態に係る不正防止装置を備えた台間遊技設備機の設置状態を示す正面図である。
【図１１】本発明の一実施の形態に係る不正防止装置を備えた台間遊技設備機のメイン制御基板のブロック図である。
【図１２】本発明の一実施の形態に係る不正防止装置を備えた台間遊技設備機の制御ブロック図である。
【図１３】本発明の一実施の形態に係る不正防止装置を備えた台間遊技設備機と監視カメラを示す説明図である。
【図１４】本発明の一実施の形態に係る不正防止装置を備えた台間遊技設備機を設置した島と監視カメラを示す説明図である。
【符号の説明】
【００３９】
１０…遊技機
２０…ホールコンピュータ
３０…台間遊技設備機
３１…紙幣投入口
３２…コイン投入口
３３…カード投入口
３４…コイン返却口
３５…モニターランプ
３６…球排出口
４０…基板カバー
４１…バッテリ
４５…蓋
４６…クリップ
５０…異物検出処理部
５１…異物防止弁
５１ａ…支軸
５２…弁体
５５…異物検出センサ
５６…監視カメラ
５７…監視カメラ制御装置
１００…メイン制御基板
１０１…マイクロコンピュータ
１１３…ラッチ回路
１１５…出力回路
１１６…入力回路
１１９…基板カバー開閉検出センサ
１２０…設定スイッチ
１２１…リセットスイッチ
１２２…送信回路
２００…遊技媒体排出ユニット
２１０…経路切替え部材
２１５…別の経路
２２２…払出し停止ソレノイド
２２３…経路切替ソレノイド
２２４…駆動ソレノイド
２３０…球有無検出センサ
２４０…球導入路
２５０…球排出路
２６０…賞球出口
３００…紙幣識別機
４００…コインセレクタ
５００…カードユニット
６００…入出力基板
７００…ノイズフィルタ
【図１】
2005218596.tif 000003
【図２】
2005218596.tif 000004
【図３】
2005218596.tif 000005
【図４】
2005218596.tif 000006
【図５】
2005218596.tif 000007
【図６】
2005218596.tif 000008
【図７】
2005218596.tif 000009
【図８】
2005218596.tif 000010
【図９】
2005218596.tif 000011
【図１０】
2005218596.tif 000012
【図１１】
2005218596.tif 000013
【図１２】
2005218596.tif 000014
【図１３】
2005218596.tif 000015
【図１４】
2005218596.tif 000016